(57)【要約】【課題】  簡単な操作で使用しない機器を確実に省電力化できるようにした電源管理プログラムおよび情報処理システムおよび電源管理方法を提供する。【解決手段】  クライアントＰＣ１００の制御部１１で作成したアプリケーションデータを印刷要求すると、通信インターフェース１６を介してプリンタ２００に印刷データが送信され、また同時に認証キー接続インターフェース１５に取り付けられた認証キーに印刷データを識別する識別情報を記憶する。ユーザが認証キーを取り外すと認証キー制御モジュール（１１−Ａ）がこれを検知し、電源管理モジュール（１１−Ｂ）によって省電力モードへの移行処理が行われる。そして、プリンタ２００では省電力モードにある場合、印刷データを受信すると印刷スプーラ２７に記憶され、電源管理モジュール（２３−Ｂ）で通常モードへの移行処理が行われる。【選択図】図１
2007172493.tif 000002
【特許請求の範囲】
【請求項１】
認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理をコンピュータにより実行する電源管理プログラムであって、
前記第１の処理装置から前記認証キーユニットを取り外したことを検出して該第１の処理装置を節電状態に移行させる第１のステップと、
前記第１の処理装置から前記認証キーユニットを取り外したことに基づく該第１の処理装置からの制御信号を検知して前記第２の装置を節電状態から復帰させる第２のステップと
を含むことを特徴とする電源管理プログラム。
【請求項２】
認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理をコンピュータにより実行する電源管理プログラムであって、
前記第１の処理装置から前記認証キーユニットを取り外したことを検出して該第１の処理装置を節電状態に移行させる第１のステップと、
前記第２の処理装置に前記認証キーユニットを装着したことを検出して該第２の装置を節電状態から復帰させる第２のステップと、
前記第２の処理装置からの処理要求に基づき前記第１の処理装置を節電状態から復帰させ、該処理要求に基づく処理の終了により該第１の処理装置を節電状態に移行させる第３のステップと
を含むことを特徴とする電源管理プログラム。
【請求項３】
認証キーユニットの装着によりユーザ認証を行う第１の処理装置と、前記第１の処理装置に接続され、前記第１の処理装置から取得した情報を蓄積する第２の処理装置と、前記第２の処理装置に接続され、該第２の処理装置から取得した情報の処理を行う第３の処理装置とを有する情報処理システムにおける電源管理をコンピュータにより実行する電源管理プログラムであって、
前記第１の処理装置から前記認証キーユニットを取り外したことを検出して該第１の処理装置を節電状態に移行させる第１のステップと、
前記第３の処理装置に前記認証キーユニットを装着したことを検出して該第３の処理装置を節電状態から復帰させる第２のステップと
を含むことを特徴とする電源管理プログラム。
【請求項４】
認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおいて、
前記第１の処理装置は、
前記認証キーユニットを取り外したことを検出する検出手段と、
前記検出手段の検出に基づき前記第２の処理装置に対して制御信号を送信する制御信号送信手段と、
前記第１の検出手段の検出に基づき該第１の処理装置を節電状態に移行させる節電制御手段と
を具備し、
前記第２の処理装置は、
前記制御信号送信手段により送信された制御信号に基づき該第２の処理装置を節電状態から復帰させる復帰制御手段
を具備することを特徴とする情報処理システム。
【請求項５】
前記第１の処理装置は、
前記第２の処理装置に対して印刷要求を行うホスト装置であり、
前記第２の処理装置は、
前記ホスト装置からの印刷要求に基づき印刷処理を行う印刷装置であり、
前記制御信号送信手段は、
前記印刷要求を前記制御信号として前記印刷装置に送信する
ことを特徴とする請求項４記載の情報処理システム。
【請求項６】
前記第１の処理装置は、
前記第２の処理装置に対して印刷要求を行うホスト装置であり、
前記第２の処理装置は、
前記ホスト装置からの印刷要求に基づき印刷処理を行う印刷装置であり、
前記制御信号送信手段は、
前記第１の処理装置に対して前記印刷要求を送信した後、節電解除信号を前記制御信号として前記印刷装置に送信する
ことを特徴とする請求項４記載の情報処理システム。
【請求項７】
認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおいて、
前記第１の処理装置は、
前記認証キーユニットを取り外したことを検出する第１の検出手段と、
前記第１の検出手段の検出に基づき該第１の処理装置を節電状態に移行させる節電制御手段と、
前記第２の処理装置からの処理要求に基づき前記節電状態から復帰させるとともに、該処理要求に基づく処理の終了により節電状態に移行させる節電復帰制御手段と
を具備し、
前記第２の処理装置は、
前記認証キーユニットが装着されたことを検出する第２の検出手段と、
前記第２の検出手段の検出に基づき該第２の処理装置を節電状態から復帰させる復帰制御手段と、
前記復帰制御手段による前記節電状態からの復帰後に前記第１の処理装置に対して前記処理要求を行う処理要求手段と
を具備することを特徴とする情報処理システム。
【請求項８】
前記第１の処理装置は、
画像を読み取る画像読取装置であり、
前記第２の処理装置は、
前記画像読取装置から読取画像を取得して処理するクライアント装置であり、
前記処理要求手段は、
前記画像読取装置に対して前記読取画像の取得要求を行う
ことを特徴とする請求項７記載の情報処理システム。
【請求項９】
認証キーユニットの装着によりユーザ認証を行う第１の処理装置と、前記第１の処理装置に接続され、前記第１の処理装置から取得した情報を蓄積する第２の処理装置と、前記第２の処理装置に接続され、該第２の処理装置から取得した情報の処理を行う第３の処理装置とを有する情報処理システムにおいて、
前記第１の処理装置は、
該第１の処理装置で処理した処理情報を前記第２の処理装置に送信して蓄積する送信蓄積手段と、
前記認証キーユニットを取り外したことを検出する第１の検出手段と、
前記第１の検出手段の検出に基づき該第１の処理装置を節電状態に移行させる節電制御手段と
を具備し、
前記第３の処理装置は、
前記認証キーユニットを装着したことを検出する第２の検出手段と、
前記第２の検出手段の検出に基づき節電状態から復帰させる復帰制御手段と、
前記復帰制御手段による前記節電状態からの復帰後に前記第２の処理装置に対して前記第１の処理装置で処理した処理情報の取得要求を行って該第１の処理装置で処理した処理情報を取得する情報取得手段と
を具備することを特徴とする情報処理システム。
【請求項１０】
前記第１の処理装置は、
画像を読み取る画像読取装置であり、
前記第２の処理装置は、
前記画像読取装置で読み取った読取画像を蓄積管理するサーバであり、
前記第３の処理装置は、
前記サーバに蓄積された前記読取画像を取得して処理するクライアント装置であり、
前記情報取得手段は、
前記サーバに対して前記読取画像の取得要求を行って該読取画像を取得する
ことを特徴とする請求項９記載の情報処理システム。
【請求項１１】
認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理方法において、
前記認証キーユニットを取り外したことを前記第１の処理装置の検出手段で検出し、
前記検出手段の検出に基づき前記第２の処理装置に対して制御信号を制御信号送信手段で送信し、
前記第１の検出手段の検出に基づき該第１の処理装置を節電状態に節電制御手段で移行させ、
前記制御信号送信手段により送信された制御信号に基づき該第２の処理装置を節電状態から復帰制御手段で復帰させる
ことを特徴とする電源管理方法。
【請求項１２】
認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理方法において、
前記認証キーユニットを取り外したことを前記第１の処理装置の第１の検出手段で検出し、
前記第１の検出手段の検出に基づき該第１の処理装置を節電状態に節電制御手段で移行させ、
前記第２の処理装置からの処理要求に基づき前記節電状態から復帰させるとともに、該処理要求に基づく処理の終了により節電状態に節電復帰制御手段で移行させ、
前記認証キーユニットが装着されたことを前記第２の処理装置の第２の検出手段で検出し、
前記第２の検出手段の検出に基づき該第２の処理装置を節電状態から復帰制御手段で復帰させ、
前記復帰制御手段による前記節電状態からの復帰後に前記第１の処理装置に対して前記処理要求を行う
ことを特徴とする電源管理方法。
【請求項１３】
認証キーユニットの装着によりユーザ認証を行う第１の処理装置と、前記第１の処理装置に接続され、前記第１の処理装置から取得した情報を蓄積する第２の処理装置と、前記第２の処理装置に接続され、該第２の処理装置から取得した情報の処理を行う第３の処理装置とを有する情報処理システムにおける電源管理方法において、
該第１の処理装置で処理した処理情報を前記第２の処理装置に送信して前記第１の処理装置の送信蓄積手段で蓄積し、
前記認証キーユニットを取り外したことを第１の検出手段で検出し、
前記第１の検出手段の検出に基づき該第１の処理装置を節電状態に節電制御手段で移行させ、
前記認証キーユニットを装着したことを前記第３の処理装置の第２の検出手段で検出し、
前記第２の検出手段の検出に基づき節電状態から復帰制御手段で復帰させ、
前記復帰制御手段による前記節電状態からの復帰後に前記第２の処理装置に対して前記第１の処理装置で処理した処理情報の取得要求を行って該第１の処理装置で処理した処理情報を取得する
ことを特徴とする電源管理方法。
【発明の詳細な説明】
【技術分野】
【０００１】
本発明は、電源管理プログラムおよび情報処理システムおよび電源管理方法に関し、特に、簡単な操作で省電力化を実現する電源管理プログラムおよび情報処理システムおよび電源管理方法に関する。
【背景技術】
【０００２】
一般に、ホスト装置（以下、「クライアントコンピュータ」ともいう）やプリンタなどのデバイスの省電力を実現する方法として、予め設定した所定の時間、そのデバイスが使用されていない状態が継続すると自動的に省電力状態（「省電力モード」ともいう）へ移行する方法がある。この省電力モードでは、デバイスの電源供給量を最小限に抑えるとともに動作時に電源ＯＦＦの状態よりも高速に起動することができる。
【０００３】
省電力モードにあるデバイスが処理要求を受け付けると、電力の供給を開始して通常動作を可能とする通常モードへの移行を行う。
【０００４】
この省電力モードへの移行を利用することにより機器の省電力化とともに電源ＯＦＦ状態に比べて高速に処理を開始することができるという利点がある。
【０００５】
特に、プリンタや複合機などの複数のユーザが共有して使用する電子機器では、いつ誰が使用するかわからないため、通常の電源モードよりもその省電力モードで待機することによる省電力化の恩恵が大きい。しかしながら、いつ誰が使用するかわからないということから省電力モードへ移行するまでの待ち時間を最適に設定することが難しいという問題もある。
【０００６】
これらプリンタや複合機などと接続されたクライアントコンピュータなどの上位装置では、スタンドアロンで動作している場合に省電力モードへ移行できるような状態であっても、ひとたび接続されたプリンタや複合機に対して処理要求を行った場合にはその処理が終了するまで省電力モードへ移行することができず、無駄な電力消費が生じていた。
【０００７】
この問題を解決しようとした従来技術として特許文献１に開示されたものがある。この特許文献１に開示された従来技術では、上位装置がプリンタに対して印刷要求を行うとそのプリンタの動作中、省電力モードまたは電源オフ状態への移行が可能な状態、例えば、プリンタにスプール内の全データを転送した状態になれば省電力モード又は電源オフ状態への移行を可能にしている。
【特許文献１】特開平１１−２２１９５１
【発明の開示】
【発明が解決しようとする課題】
【０００８】
しかしながら、特許文献１に示された従来技術においては、プリンタでの処理を待たずして印刷要求を行った上位装置の省電力モードへの移行を可能としているが、ユーザが必要とするときに必要な時間だけ省電力モードへ移行するものではなく、あくまで移行を可能とするものであって省電力モードへ移行するには手動で切り換えるか若しくは移行までの設定時間を短くすることにより行わなければならない。
【０００９】
単に、設定時間を短くした場合には、少しの時間その上位装置を使用しないだけで省電力モードへ移行してしまい、使い勝手が悪くなるという問題がある。
【００１０】
そこで、本発明は、簡単な操作で使用しない機器を確実に省電力化できるようにした電源管理プログラムおよび情報処理システムおよび電源管理方法を提供することを目的とする。
【課題を解決するための手段】
【００１１】
上記目的を達成するため、請求項１の発明は、認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理をコンピュータにより実行する電源管理プログラムであって、前記第１の処理装置から前記認証キーユニットを取り外したことを検出して該第１の処理装置を節電状態に移行させる第１のステップと、前記第１の処理装置から前記認証キーユニットを取り外したことに基づく該第１の処理装置からの制御信号を検知して前記第２の装置を節電状態から復帰させる第２のステップとを含むことを特徴とする。
【００１２】
また、請求項２の発明は、認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理をコンピュータにより実行する電源管理プログラムであって、前記第１の処理装置から前記認証キーユニットを取り外したことを検出して該第１の処理装置を節電状態に移行させる第１のステップと、前記第２の処理装置に前記認証キーユニットを装着したことを検出して該第２の装置を節電状態から復帰させる第２のステップと、前記第２の処理装置からの処理要求に基づき前記第１の処理装置を節電状態から復帰させ、該処理要求に基づく処理の終了により該第１の処理装置を節電状態に移行させる第３のステップとを含むことを特徴とする。
【００１３】
また、請求項３の発明は、認証キーユニットの装着によりユーザ認証を行う第１の処理装置と、前記第１の処理装置に接続され、前記第１の処理装置から取得した情報を蓄積する第２の処理装置と、前記第２の処理装置に接続され、該第２の処理装置から取得した情報の処理を行う第３の処理装置とを有する情報処理システムにおける電源管理をコンピュータにより実行する電源管理プログラムであって、前記第１の処理装置から前記認証キーユニットを取り外したことを検出して該第１の処理装置を節電状態に移行させる第１のステップと、前記第３の処理装置に前記認証キーユニットを装着したことを検出して該第３の処理装置を節電状態から復帰させる第２のステップとを含むことを特徴とする。
【００１４】
また、請求項４の発明は、認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおいて、前記第１の処理装置は、前記認証キーユニットを取り外したことを検出する検出手段と、前記検出手段の検出に基づき前記第２の処理装置に対して制御信号を送信する制御信号送信手段と、前記第１の検出手段の検出に基づき該第１の処理装置を節電状態に移行させる節電制御手段とを具備し、前記第２の処理装置は、前記制御信号送信手段により送信された制御信号に基づき該第２の処理装置を節電状態から復帰させる復帰制御手段を具備することを特徴とする。
【００１５】
また、請求項５の発明は、請求項４の発明において、前記第１の処理装置は、前記第２の処理装置に対して印刷要求を行うホスト装置であり、前記第２の処理装置は、前記ホスト装置からの印刷要求に基づき印刷処理を行う印刷装置であり、前記制御信号送信手段は、前記印刷要求を前記制御信号として前記印刷装置に送信することを特徴とする。
【００１６】
また、請求項６の発明は、請求項４の発明において、前記第１の処理装置は、前記第２の処理装置に対して印刷要求を行うホスト装置であり、前記第２の処理装置は、前記ホスト装置からの印刷要求に基づき印刷処理を行う印刷装置であり、前記制御信号送信手段は、前記第１の処理装置に対して前記印刷要求を送信した後、節電解除信号を前記制御信号として前記印刷装置に送信することを特徴とする。
【００１７】
また、請求項７の発明は、認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおいて、前記第１の処理装置は、前記認証キーユニットを取り外したことを検出する第１の検出手段と、前記第１の検出手段の検出に基づき該第１の処理装置を節電状態に移行させる節電制御手段と、前記第２の処理装置からの処理要求に基づき前記節電状態から復帰させるとともに、該処理要求に基づく処理の終了により節電状態に移行させる節電復帰制御手段とを具備し、前記第２の処理装置は、前記認証キーユニットが装着されたことを検出する第２の検出手段と、前記第２の検出手段の検出に基づき該第２の処理装置を節電状態から復帰させる復帰制御手段と、前記復帰制御手段による前記節電状態からの復帰後に前記第１の処理装置に対して前記処理要求を行う処理要求手段とを具備することを特徴とする。
【００１８】
また、請求項８の発明は、請求項７の発明において、前記第１の処理装置は、画像を読み取る画像読取装置であり、前記第２の処理装置は、前記画像読取装置から読取画像を取得して処理するクライアント装置であり、前記処理要求手段は、前記画像読取装置に対して前記読取画像の取得要求を行うことを特徴とする。
【００１９】
また、請求項９の発明は、認証キーユニットの装着によりユーザ認証を行う第１の処理装置と、前記第１の処理装置に接続され、前記第１の処理装置から取得した情報を蓄積する第２の処理装置と、前記第２の処理装置に接続され、該第２の処理装置から取得した情報の処理を行う第３の処理装置とを有する情報処理システムにおいて、前記第１の処理装置は、該第１の処理装置で処理した処理情報を前記第２の処理装置に送信して蓄積する送信蓄積手段と、前記認証キーユニットを取り外したことを検出する第１の検出手段と、前記第１の検出手段の検出に基づき該第１の処理装置を節電状態に移行させる節電制御手段とを具備し、前記第３の処理装置は、前記認証キーユニットを装着したことを検出する第２の検出手段と、前記第２の検出手段の検出に基づき節電状態から復帰させる復帰制御手段と、前記復帰制御手段による前記節電状態からの復帰後に前記第２の処理装置に対して前記第１の処理装置で処理した処理情報の取得要求を行って該第１の処理装置で処理した処理情報を取得する情報取得手段とを具備することを特徴とする。
【００２０】
また、請求項１０の発明は、請求項９の発明において、前記第１の処理装置は、画像を読み取る画像読取装置であり、前記第２の処理装置は、前記画像読取装置で読み取った読取画像を蓄積管理するサーバであり、前記第３の処理装置は、前記サーバに蓄積された前記読取画像を取得して処理するクライアント装置であり、前記情報取得手段は、前記サーバに対して前記読取画像の取得要求を行って該読取画像を取得することを特徴とする。
【００２１】
また、請求項１１の発明は、認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理方法において、前記認証キーユニットを取り外したことを前記第１の処理装置の検出手段で検出し、前記検出手段の検出に基づき前記第２の処理装置に対して制御信号を制御信号送信手段で送信し、前記第１の検出手段の検出に基づき該第１の処理装置を節電状態に節電制御手段で移行させ、前記制御信号送信手段により送信された制御信号に基づき該第２の処理装置を節電状態から復帰制御手段で復帰させることを特徴とする。
【００２２】
また、請求項１２の発明は、認証キーユニットの装着によりユーザ認証を行う第１の処理装置と、前記第１の処理装置に接続され、前記認証キーユニットの装着により前記第１の処理装置から取得した情報の処理を行う第２の処理装置とを有する情報処理システムにおける電源管理方法において、前記認証キーユニットを取り外したことを前記第１の処理装置の第１の検出手段で検出し、前記第１の検出手段の検出に基づき該第１の処理装置を節電状態に節電制御手段で移行させ、前記第２の処理装置からの処理要求に基づき前記節電状態から復帰させるとともに、該処理要求に基づく処理の終了により節電状態に節電復帰制御手段で移行させ、前記認証キーユニットが装着されたことを前記第２の処理装置の第２の検出手段で検出し、前記第２の検出手段の検出に基づき該第２の処理装置を節電状態から復帰制御手段で復帰させ、前記復帰制御手段による前記節電状態からの復帰後に前記第１の処理装置に対して前記処理要求を行うことを特徴とする。
【００２３】
また、請求項１３の発明は、認証キーユニットの装着によりユーザ認証を行う第１の処理装置と、前記第１の処理装置に接続され、前記第１の処理装置から取得した情報を蓄積する第２の処理装置と、前記第２の処理装置に接続され、該第２の処理装置から取得した情報の処理を行う第３の処理装置とを有する情報処理システムにおける電源管理方法において、該第１の処理装置で処理した処理情報を前記第２の処理装置に送信して前記第１の処理装置の送信蓄積手段で蓄積し、前記認証キーユニットを取り外したことを第１の検出手段で検出し、前記第１の検出手段の検出に基づき該第１の処理装置を節電状態に節電制御手段で移行させ、前記認証キーユニットを装着したことを前記第３の処理装置の第２の検出手段で検出し、前記第２の検出手段の検出に基づき節電状態から復帰制御手段で復帰させ、前記復帰制御手段による前記節電状態からの復帰後に前記第２の処理装置に対して前記第１の処理装置で処理した処理情報の取得要求を行って該第１の処理装置で処理した処理情報を取得することを特徴とする。
【発明の効果】
【００２４】
本発明によれば、設置された複数の機器の利用を共通的に認証する認証キーを用い、該認証キーの着脱により電源管理を行うように構成したので、ユーザが利用しない機器の不正利用を防止すると共に使用しない機器の無駄な電力を確実に省くことが可能となるという効果を奏する。
【００２５】
さらに、ユーザの移動に伴って認証キーの着脱を行うことからその省電力化を実現する直接的な操作を必要とすることなく確実に省電力を実現することが可能となるという効果を奏する。
【００２６】
そして、使用する直前まで省電力状態を保つとともに使用を開始する直前まで省電力状態を保つことができるため、大幅な電力消費の削減が可能となるという効果をも奏する。
【発明を実施するための最良の形態】
【００２７】
以下、本発明に係わる電源管理プログラムおよび情報処理システムおよび電源管理方法の一実施例を添付図面を参照して詳細に説明する。
【００２８】
なお、以下に示す実施例では、主に、ホスト装置であるクライアントＰＣと印刷装置であるプリンタとがネットワーク回線によって接続された構成を示しているが、この装置構成に限定されることなく、図５に示すようにホスト装置としてクライアントＰＣの代わりにスキャナを設け、印刷装置の代わりにクライアントＰＣを設けるような構成であってもよい。
【実施例１】
【００２９】
図１は、本発明に係わる電源管理プログラムおよび情報処理システムおよび電源管理方法を適用して構成した情報処理システムの電源管理を行うシステム構成図である。
【００３０】
図１におけるこの情報処理システムの例として、クライアントＰＣ１００とプリンタ２００がネットワーク回線を介して接続されたシステム構成を示している。このクライアントＰＣ１００とプリンタ２００は、クライアントＰＣ１００とプリンタ２００は相互通信が可能である。また、クライアントＰＣ１００とプリンタ２００には、認証キーの着脱を認識するとともにその認証キーに記憶された情報を読み取り、また、情報の書き込みを行うことができるインターフェースを有する。この認証キーの着脱に応じて、クライアントＰＣ１００とプリンタ２００それぞれで電源管理が行われ、省電力状態（以下、「省電力モード」ともいう）へ移行する処理が行われる。
【００３１】
このときの認証キーは、フラッシュメモリなどによって実装される記憶媒体であって、クライアントＰＣ１００やプリンタ２００などを使用する際に用いる。この認証キーには、認証キーを一意に識別する識別情報のほか、プリンタへの印刷出力要求時に取り付けられていたクライアントＰＣを識別する識別情報、印刷要求した印刷データを識別するする識別情報、さらには印刷出力要求を行ったユーザを識別するユーザ情報が含まれており、必要に応じて書き換え可能である。
【００３２】
クライアントＰＣ１００は、アプリケーション記憶部１０、制御部１１、印刷要求リスト管理部１２、印刷スプーラ１３、Ｕ／Ｉ１４、認証キー接続インターフェース１５、通信インターフェース１６を具備して構成され、ユーザが認証キー接続インターフェース１５に取り付けられた認証キーを取り外すことにより制御部１１によりクライアントＰＣの電源制御の処理が行われて省電力モードへ移行する。
【００３３】
アプリケーション記憶部１０は、プリンタ２００に対して印刷要求する印刷データを作成する元となるアプリケーションを記憶する。ユーザは、記憶された（インストールされた）アプリケーションをＵ／Ｉ１４から操作することで制御部１１によってアプリケーションデータを作成する。
【００３４】
制御部１１は、クライアントＰＣ１００における主制御を行い、Ｕ／Ｉ１４からの操作に基づくアプリケーションデータを作成する。このアプリケーションデータは、印刷要求を行う元となるデータであってアプリケーション記憶部１０に記憶されたアプリケーションを用いて作成する。Ｕ／Ｉ１４からの操作により作成したアプリケーションデータに対して印刷指示が行われると、そのアプリケーションデータに対する印刷データを作成し、その印刷データを印刷スプール１３に格納する。さらに、印刷要求リスト管理部１２にその印刷要求の内容を追加する。
【００３５】
また、制御部１１は、認証キー制御モジュール（１１−Ａ）、電源管理モジュール（１１−Ｂ）を具備して構成され、認証キー制御モジュール（１１−Ａ）は、認証キー接続インターフェース１５に認証キーが取り付けられているか判断し、取り付けられている場合にはその認証キーに記憶された識別情報若しくはユーザ情報の読み取り、書き込みを行う。さらに、認証キーの着脱を監視し、取り外されたことを検知し、反対に取り付けられたことを検知する。この状態の変化を電源管理モジュール（１１−Ｂ）に通知する。
【００３６】
さらに、取り付けられた認証キーにクライアントＰＣ１００の識別情報やそのクライアントＰＣ１００を操作しているユーザのユーザ情報を自動的に更新する。これらの情報は、認証キーが取り付けられたプリンタによって印刷要求を行ったクライアントＰＣやユーザを識別する際に用いられる情報である。
【００３７】
そして、電源管理モジュール（１１−Ｂ）は、認証キー制御モジュール（１１−Ａ）から認証キーの接続状態を通知されると予め指定された電源状態に移行する処理を行う。すなわち、認証キーが取り付けられた場合には省電力モードから通常モードへと電源状態を変化させ、また、認証キーが取り外された場合には通常モードから省電力モードへと電源状態を変化させる。もちろん、認証キーが取り付けられている場合であっても一定の時間を経過することにより電源状態を省電力モードへと変化させることができ、この省電力モードの状態で認証キーが取り外された場合には、省電力モードを維持する。
【００３８】
なお、この電源状態は、認証キー制御モジュール（１１−Ａ）から受信した状態のほかに通信インターフェース１６から受信したデータに基づいて変更される。この通信インターフェース１６を介して受信するデータには、プリンタからの印刷データの取得要求（転送要求）などがあり、省電力モードにあるクライアントＰＣ１００が通常モードへと移行させる処理が行われる。
【００３９】
電源状態の変化の一例を図２〜図５に示す。
【００４０】
また、この制御部１１では、通信インターフェース１６を介してプリンタ２００から印刷データを識別する識別情報とともにその印刷データの送信要求を受け付けると、印刷スプーラ１３に記憶された印刷データを取り出して要求元のプリンタ２００に送信する。送信した印刷データに対して印刷要求リスト管理部１２で管理された送信状態情報を送信済みへと更新する。このときの印刷データを識別する識別情報は、印刷要求のヘッダーに記載することができる。
【００４１】
印刷要求リスト管理部１２は、プリンタ２００に対して印刷要求を行った印刷要求の一覧を示すリストを管理する。このリストには、印刷要求を行ったユーザの名称や印刷データを識別する識別情報、その印刷データが印刷スプーラ１３のどの位置に格納されているかを示すアドレス情報、送信したか否かを示す送信状態情報、送信インターフェース１５を介して接続されたプリンタの状態を示す情報などが記憶されている。
【００４２】
なお、印刷要求を行った印刷データが印刷スプーラ１３に格納されていない場合もあり、その場合にはアドレス情報として「ＮＵＬＬ（ヌル）」が設定される。
【００４３】
印刷スプーラ１３は、制御部１１で作成した印刷データをプリンタ２００に対して送信せずにクライアントＰＣ１００で保持しておくための記憶領域であって、プリンタからの送信要求によって制御部１１による制御によってプリンタ２００に送信される。
【００４４】
Ｕ／Ｉ１４は、表示ディスプレイやキーボード、ポインティングデバイスなどの装置から構成されるユーザインターフェースであって、印刷指示を行ったりアプリケーションを用いたりしてアプリケーションデータを作成する。印刷指示時には、その印刷出力するプリンタ２００を選択するほか、印刷出力するプリンタを選択せずに印刷要求こともできる。
【００４５】
プリンタを選択せずに印刷要求を行った場合、その印刷データは、プリンタからの取得要求がされるまで印刷スプーラ１３に格納される。
【００４６】
認証キー接続インターフェース１５は、認証キーの着脱を行うインターフェースであって、制御部１１の認証キー制御モジュール（１１−Ａ）へのデータ転送や取り付けられた認証キーへのデータの書き込みを行う。また、認証キーの着脱を検知し、認証キー制御モジュール（１１−Ａ）へ通知する。
【００４７】
通信インターフェース１６は、クライアントＰＣ１００とプリンタ２００とのデータ通信を行う通信インターフェースであって、印刷データや印刷要求を伝送する。
【００４８】
そして、プリンタ２００は、通信インターフェース２１、認証キー接続インターフェース２２、制御部２３、プリンタＵ／Ｉ２４、出力制御部２５、プリントエンジン２６、印刷スプール２７を具備して構成され、プリンタの使用環境に応じて通常の動作モード（「通常モード」ともいう）と省電力モードとの切り替えが可能であり、認証キー接続インターフェース２２に取り付けられた認証キーの接続状態やクライアントＰＣ１００からの印刷要求に基づく電源管理が行われる。
【００４９】
省電力モードは、従来のプリンタで実現されている所定の時間使用されない状態が継続した場合に自動的に低電力で待機状態となる動作モードである。
【００５０】
以下に、省電力モードでの処理の内容を示す。
【００５１】
通信インターフェース２１では、クライアントＰＣ１００とのデータ通信を実現する通信インターフェースであって、クライアントＰＣ１００からの印刷要求を受け付け、制御部２３からの指示により所定のクライアントＰＣ１００に対して印刷データの送信要求を転送する。
【００５２】
認証キー接続インターフェース２２は、クライアントＰＣ１００の認証キー接続インターフェース１５と同様、取り付けられた認証キーに記憶されたデータの読み取りを行い、また、制御部２３からの指示によりその認証キーへの書き込みを行う。
【００５３】
制御部２３は、プリンタ２００における主制御を示し、印刷出力における制御や電源管理制御を行う。また、Ｕ／Ｉ２４を用いてユーザが設定した設定情報や操作内容に基づいて制御を行う。
【００５４】
この制御部２３には、認証キー制御モジュール（２３−Ａ）、電源管理モジュール（２３−Ｂ）、印刷出力部２５が含まれ、認証キー制御モジュール（２３−Ａ）で認証キー接続インターフェース２２に認証キーが取り付けられているか判断するとともに認証キーの着脱を検知する。取り付けられた認証キーに印刷データが含まれず、クライアントＰＣを識別する情報や印刷出力要求を特定する情報が含まれる場合にそのクライアントＰＣに対して印刷データの転送要求を生成し、通信インターフェース２１を介して送信する。転送要求に対する応答として印刷データを受信し、印刷スプーラ２７に記憶する。
【００５５】
また、この認証キー制御モジュール（２３−Ａ）は、検出した着脱による状態の変化を電源管理モジュール（２３−Ｂ）に通知し、電源管理モジュール（２３−Ｂ）では、省電力モードにある場合に認証キーの取り付け、若しくは、印刷データの受信によって通常モードへ移行する処理を行う。
【００５６】
受信した印刷データや転送要求を行うことによって転送されてきた印刷データに対し、出力制御部２５で印刷制御を行ってプリントエンジン２６に印刷出力を指示する。
【００５７】
Ｕ／Ｉ２４は、表示ディスプレイや十字キー、テンキーなどの装置から構成されるユーザインターフェースであって、印刷設定の設定情報を指定することができる。
【００５８】
プリントエンジン２６は、出力制御部２５からの印刷指示により印刷データの印刷出力を行う。
【００５９】
印刷スプーラ２７は、制御部２３で受け付けた印刷データを記憶する記憶領域であり、制御部２３からの取り出し要求によって取り出される。プリンタ２００が通信インターフェース２１を介して印刷要求を受け付けると、印刷要求に対する印刷データを制御部２３が印刷スプーラ２７に記憶する。その後、認証キー接続インターフェース２２に認証キーが取り付けられ、認証キー制御モジュール（２３−Ａ）で取り付けを検出すると制御部２３が印刷スプーラ２７からその印刷データを取り出して制御部２３の出力制御部２５からプリントエンジン２６へ印刷指示を行う。
【００６０】
このような構成により、クライアントＰＣでは認証キーの取り外しや印刷データを送信完了することによって省電力モードへの移行処理を行うことができ、また、プリンタでは、認証キーの取り付けや印刷データの受信によって印刷出力を行うことができる。
【００６１】
図２は、本願発明における処理シーケンスを示す図である。
【００６２】
図２では、印刷要求元であるクライアントＰＣがプリンタに対して印刷要求を行い（２０１）、その印刷要求の印刷データが指定されたプリンタに送信される（２０２）。このとき、プリンタへ印刷データを送信するとともに認証キーに対し、少なくとも印刷要求した印刷データを識別する識別情報を記憶する。もちろん、接続されたクライアントＰＣを識別する識別情報やユーザを識別するユーザ情報を記憶するようにしてもよい。
【００６３】
そして、ユーザは印刷データの送信が完了したことと認証キーへ印刷要求した印刷データを特定する情報の記憶が完了したことを確認して認証キーの取り外しを行うと（２０３）、省電力モードへの移行処理が行われる（２０４）。
【００６４】
また、印刷データを受信したプリンタでは、省電力モードで待機状態にある場合に、印刷データの受信をトリガとして（図中の箇所Ａ）省電力モードから通常モードへと復帰する処理を行う。そして、受信した印刷データを印刷スプールに記憶する。この状態でユーザにより印刷要求したクライアントＰＣに取り付けられていた認証キーをプリンタに取り付けると（２０５）、その認証キーに記憶された印刷要求した印刷データを特定する情報を元に受信した印刷データを記憶した印刷スプールから取り出して印刷出力する（２０６）。
【００６５】
このような処理では、認証キーの取り外しによって省電力モードへの移行処理が行え、認証キーの取り付けによって印刷出力が行われる。
【００６６】
図３は、本願発明における処理シーケンスを示す他の図である。
【００６７】
図３では、図２と類似し、図２に示す処理シーケンスでは、印刷要求が行われると指定されたプリンタに対して印刷データを送信するように構成しているが、図３に示す処理シーケンスでは、印刷要求した印刷データはクライアントＰＣの印刷スプールに記憶される（２０１）。
【００６８】
また、印刷要求における印刷データを識別する識別情報を認証キーに保存する処理を行って、ユーザにより認証キーが取り外される（３０１）と、印刷スプールに記憶された印刷データがプリンタに送信される（３０２）。
【００６９】
そして、印刷データを送信したクライアントＰＣでは、省電力モードへの移行処理が行われる（２０４）。
【００７０】
その後、図２に示す処理シーケンスを実行することにより印刷データの印刷出力が行われる。
【００７１】
なお、上記に説明する図２、図３では、クライアントＰＣから印刷データを受信したことをトリガとして（図中の箇所Ａ）プリンタが省電力モードから通常モードへと復帰するように構成しているが、ユーザにより認証キーが挿入されたことをトリガとして省電力モードから通常モードへと復帰するような構成であってもよい。
【００７２】
図４は、本願発明における処理シーケンスを示す第３の図である。
【００７３】
図４では、印刷要求先のプリンタを選択することなく印刷出力できる処理シーケンスを示している。
【００７４】
まず、クライアントＰＣで印刷データを作成し、作成した印刷データの印刷出力処理（４０１）を行う。この印刷出力処理では、クライアントＰＣに設けられた印刷スプーラに印刷データを記憶し、プリンタからの転送要求を受け付けられる状態にする。
【００７５】
また、同時に認証キーに対して印刷要求元のであるクライアントＰＣを識別する識別情報、ユーザを示すユーザ情報、印刷要求した印刷データを識別する識別情報を書き込む。
【００７６】
印刷出力処理（４０１）を行った後、ユーザが取り付けられている認証キーをクライアントＰＣから取り外す（４０２）と、そのクライアントＰＣでは省電力モードへの移行処理（４０３）を行って省電力モードとなる。
【００７７】
そして、ユーザがクライアントＰＣから取り外した認証キーを持ってプリンタへ移動し、プリンタに挿すことでその認証キーに記憶された情報の読み取りを行う。その情報に含まれるクライアントＰＣの識別情報を用いて印刷出力処理を行ったクライアントＰＣを特定し、そのクライアントＰＣに対して印刷要求した印刷データを特定する情報に対する印刷データの転送要求を行う（４０５）。
【００７８】
認証キーがプリンタに挿された時点でプリンタが省電力モードにある場合には、省電力モードから通常モードへと復帰（図中の箇所Ａ）し、転送要求が行われる。
【００７９】
転送要求を受け付けたクライアントＰＣは先の処理によって省電力モードであることから通常モードへと復帰（図中の箇所Ｂ）し、指定された印刷データを取り出して転送要求元であるプリンタに印刷データを送信する（４０６）。
【００８０】
そして、印刷データをプリンタに転送したクライアントＰＣは、再度、省電力モードへの移行処理を行う（４０７）。また、プリンタでは、転送要求に対する応答として印刷データを受信すると、その印刷データの印刷出力を行う（４０８）。
【００８１】
なお、クライアントＰＣにおいて、省電力モードから通常モードへ復帰するには認証キーを再度差し込むことによって行われる。
【００８２】
このような処理シーケンスにより、印刷出力するプリンタを選択することなく、所望のプリンタから印刷できるとともにクライアントＰＣの不正利用、不正操作を防止することができる。
【００８３】
図５は、図４に示す処理シーケンスをホスト装置のスキャナとクライアントＰＣに適用した場合の例を示す図である。
【００８４】
図５では、スキャナで原稿の読み取り処理（５０１）が行われ、読み取った原稿に対する画像データを所定の記憶装置に保存する（５０２）。所定の記憶装置は、クライアントＰＣからアクセスに対して応答する画像データを記憶する装置である。一般には、ＲＡＭなどによって構成される。
【００８５】
そして、認証キーに対してスキャナを識別する識別情報や記憶装置に記憶した画像データを識別するアドレス情報などを記憶する。
【００８６】
記憶装置への保存が完了した後にユーザによって認証キーの取り外しが行われる（５０３）と、スキャナでは省電力モードへの移行処理（５０４）が行われ、省電力モードとなる。
【００８７】
ユーザが取り外した認証キーを持ってクライアントＰＣへ移動してその認証キーを差し込む（５０５）と、そのクライアントＰＣが省電力モードである場合には省電力モードから通常のモードへと復帰する（図中の箇所Ａ）。
【００８８】
認証キーに含まれるスキャナを特定する識別情報を用いて原稿の読み取りを行ったスキャナを特定し、アドレス情報を指定することによりスキャナに対して画像データの転送要求を行う（５０６）。転送要求を受信したスキャナでは、その転送要求をトリガとして省電力モードから通常のモードへと復帰し、記憶装置に記憶した画像データをそのアドレス情報に基づいて取り出す。取り出した画像データを転送要求元のクライアントＰＣに送信する（５０７）。
【００８９】
画像データを送信すると、再度、省電力モードへの移行処理を行い（５０８）、スキャナを省電力モードへと移行させる。また、画像データを受信したクライアントＰＣでは、取得した画像データを保存する（５０９）。
【００９０】
これにより、読み取った原稿に対する画像データをクライアントＰＣで管理することができる。
【００９１】
以上の処理によって、本発明では、簡単な操作によって低電力の状態である省電力モードへと移行することができる。
【実施例２】
【００９２】
実施例１では、クライアントＰＣとプリンタ若しくはスキャナとクライアントＰＣを接続した構成例を示したが、以下の実施例２では、情報処理システムの例として、クライアントＰＣとプリンタとの通信を制御サーバを介して行う場合の例を示す。
【００９３】
もちろん、クライアントＰＣとプリンタとの通信に限定されることなく、スキャナとクライアントＰＣとの通信であってもよい。
【００９４】
図６は、制御サーバを介して通信を行う場合のネットワーク構成を示す図である。
【００９５】
図６では、データを作成して印刷要求を行うクライアントＰＣ１００、クライアントＰＣ１００で作成したデータを印刷制御する制御サーバ６００、制御サーバ６００により処理されたデータを印刷出力するプリンタ２００がネットワーク回線によって接続された構成を示す。
【００９６】
クライアントＰＣ１００とプリンタ２００には認証キーを取り付ける認証キー接続インターフェースが設けられており、認証キーが取り付けられた状態でそれぞれの動作が行われる。認証キー接続インターフェースに認証キーが取り付けられている状態のクライアントＰＣ１００でアプリケーションデータ作成して制御サーバ６００に送信する。この制御サーバ６００では、アプリケーションデータに対して印刷制御を行い、印刷データを作成する。この制御サーバ６００には印刷データを一時的に記憶することができるデータ記憶部６３が設けられており、このデータ記憶部６３に印刷データを保存する。
【００９７】
クライアントＰＣ１００に取り付けられた認証キーがユーザによって取り外されると、省電力モードへの移行処理が行われて省電力モードへ移行する。また、クライアントＰＣ１００から取り外した認証キーをプリンタ２００に取り付けることによりプリンタ２００が省電力モードから通常モードへと復帰する。このときのプリンタ２００は、認証キーが取り付けられていないため省電力モードであって認証キーが取り付けられることによって通常モードへ移行する。
【００９８】
図７は、図６に示すネットワーク構成の詳細なブロック図を示す
以下では、クライアントＰＣ１００とプリンタ２００の構成は、図１に示すブロック図と同じであるため制御サーバ６００を中心に説明する。
【００９９】
まず、クライアントＰＣ１００で印刷要求すると、印刷要求に対する印刷データが制御サーバ６００に転送されて制御サーバ６００に記憶される。このとき、同時に認証キー接続インターフェース１５に取り付けられた認証キーに転送した印刷データを識別する識別情報、若しくは、クライアントＰＣ１００を識別する識別情報を記憶する。
【０１００】
次に、ユーザがクライアントＰＣ１００に取り付けられた認証キーを取り外すと、クライアントＰＣ１００の電源管理モジュール（１１−Ｂ）によって通常モードから省電力モードへと移行する処理が行われる。
【０１０１】
そして、ユーザが取り外した認証キーをプリンタ２００の認証キー接続インターフェース２２に取り付けると、プリンタの認証キー制御モジュール（２３−Ａ）がこれを検知し、プリンタ２００が省電力モードにある場合に電源管理モジュールによって通常モードへ移行する処理が行われる。また、制御部２３で認証キーに記憶された印刷データを識別する情報、若しくは、クライアントＰＣ１００を識別する情報の読み取りが行われ、これらの情報を元に制御サーバ６００にアクセスする。
【０１０２】
このときの制御サーバ６００は、通信インターフェース６１、制御部６２、データ記憶部６３、表示部６４、操作部６５を具備して構成され、クライアントＰＣ１００から印刷要求として印刷データを受け付けて印刷制御を行うとともにプリンタ２００からのアクセス要求に基づいて指定された印刷データを転送する。
【０１０３】
通信インターフェース６１は、クライアントＰＣから印刷データを受け付けるインターフェースである。
【０１０４】
制御部６２は、制御サーバにおける主制御を示し、通信インターフェース６１を介して受け付けた印刷データをデータ記憶部６３に記憶する。また、プリンタ２００からの印刷データの取得要求に応じてデータ記憶部６３に記憶した印刷データを通信インターフェース６１を介してプリンタ２００に送信する。
【０１０５】
さらに、表示部６４、操作部６５のユーザインターフェースから操作指示が行われると指示内容に基づく処理を行う。
【０１０６】
また、この制御部６２は予め指定された処理を行うことが可能であり、例えば、印刷データに対して所定のデータを付与して新たな印刷データを作成したり、指定した文字を他の文字に置き換えたりするなどの処理が可能である。
【０１０７】
データ記憶部６３は、ＲＡＭ（Random Access Memory）などによって構成される記憶媒体であって、制御部６２から転送されてきた印刷データを記憶する。制御部６２からアクセス可能であり、読み書き可能な記憶媒体である。
【０１０８】
表示部６４、操作部６５は、ユーザにより操作可能なユーザインターフェースであって、表示部６４は表示ディスプレイなどによって構成され、操作部６５はキーボードやポインティングデバイスなどによって構成される。
【０１０９】
図８は、実施例２における処理シーケンスを示す図である。
【０１１０】
図８では、クライアントＰＣでアプリケーションデータを作成後、印刷要求を行う（８０１）と、制御サーバに印刷要求に対する印刷データが送信される（８０２）。この送信と同時に取り付けられている認証キーに印刷データを識別する識別情報やクライアントＰＣを識別する識別情報などを保存する。
【０１１１】
ユーザは、送信完了と識別情報の保存完了を確認し、クライアントＰＣに取り付けられた認証キーの取り外しを行う（８０３）。クライアントＰＣは認証キーが取り外されたことを検出し、省電力モードへの移行処理を行うことにより通常モードから省電力モードへ移行する（８０４）。
【０１１２】
クライアントＰＣから印刷データを受信した制御サーバは、受信した印刷データをデータ記憶部に保存する（８０５）。制御サーバでは、予め指定された処理をデータ記憶部に記憶した印刷データに施すことができ、また、ユーザからの操作によって印刷データを更新することが可能である。
【０１１３】
クライアントＰＣから取り外した認証キーをプリンタに取り付けると（８０６）、プリンタでは、認証キーに記憶された識別情報などを参照し、これらの情報に基づいて制御サーバに印刷データの転送要求を送信（８０７）して制御サーバから所定の印刷データを取り出す（８０８）。
【０１１４】
例えば、認証キーに印刷データを識別する識別情報が含まれる場合には、その識別情報と合致する印刷データを制御サーバのデータ記憶部から検索して取り出す。また、クライアントＰＣを識別する識別情報が含まれる場合には、そのクライアントＰＣから印刷要求された印刷データ全てを取り出す。
【０１１５】
もちろん、これら２つの識別情報を認証キーに保存することもでき、この場合、プリンタに設定された参照する識別情報の順序情報に基づいて参照するように構成する。例えば、あるプリンタにクライアントＰＣの識別情報を最も優先的に参照すると指定されている場合には、これら印刷データを識別する識別情報、クライアントＰＣを識別する識別情報の２つの識別情報が保存されている場合でも後者の識別情報を参照して制御サーバから印刷データを取り出す。
【０１１６】
このようにして取り出した印刷データを印刷出力する（８０９）。
【０１１７】
このような処理シーケンスによって、制御サーバを介して印刷出力ができ、認証キーの着脱によってクライアントＰＣ、プリンタそれぞれの電源状態を変化させることができる。
【０１１８】
図９は、実施例２における処理シーケンスを示す他の図である。
【０１１９】
図９では、スキャナで読み取った画像データをクライアントＰＣへ保存する処理シーケンスを示している。
【０１２０】
図８に示す処理シーケンスと類似するため異なる点を中心に説明する。
【０１２１】
スキャナではセットされた原稿の読み取りを行い（９０１）、原稿に対する画像データを形成する（９０２）。形成した画像データを図８に示す印刷データと同様、制御サーバに送信する（９０３）。認証キーに画像データを識別する情報やスキャナを識別する情報を記憶し、制御サーバへの送信完了と識別情報の記憶が完了したことを確認後、ユーザが認証キーをスキャナから取り外す（９０４）ことにより省電力モードへと移行する移行処理が行われる（９０５）。
【０１２２】
制御サーバでは画像データを受信すると、データ記憶部にその画像データを保存する（９０６）。
【０１２３】
スキャナから取り外した認証キーをクライアントＰＣに取り付けると（９０７）、認証キーに記憶された識別情報に基づいて画像データの転送要求を制御サーバに送信する（９０８）。転送要求を受けた制御サーバはデータ記憶部から識別情報に基づく画像データを取り出して転送要求元であるクライアントＰＣに対して送信する（９０９）。
【０１２４】
クライアントＰＣは受信した画像データを保存する（９１０）。
【０１２５】
このような処理シーケンスによって、スキャナで読み取った画像データを制御サーバを介してクライアントＰＣで保存することができ、認証キーの着脱によってスキャナ、クライアントＰＣそれぞれの電源状態を変化させることができる。
【０１２６】
従って、本発明を適用することにより、ユーザの利用状態に合わせて簡単な操作で省電力化することができるようになるという効果を期待できる。
【０１２７】
なお、上記処理シーケンスに示す処理は、コンピュータにより実行可能な電源管理プログラムによっても実現できる。
【０１２８】
本発明は、上記し、且つ図面に示す実施例に限定することなく、その要旨を変更しない範囲内で適宜変形して実施できるものである。
【０１２９】
例えば、スキャナとプリンタを接続するような構成で複写を行うシステムにおいて、ユーザが省電力モードにあるスキャナに認証キーを接続し、通常モードへと移行して読み取りを行わせ、読み取った画像データを印刷要求としてプリンタに送信する。印刷要求を受け付けたプリンタは、省電力モードにある場合に通常モードへと復帰し、印刷要求したスキャナに接続されていた認証キーが接続されることによって印刷要求された画像データを印刷出力する。
【産業上の利用可能性】
【０１３０】
本発明は、電源管理を行う電子機器に対して適用可能であり、特に、ユーザが移動することでクライアントＰＣなどのホスト装置から離れる場合の電源管理を行うのに有用である。
【図面の簡単な説明】
【０１３１】
【図１】本発明に係わる電源管理プログラムおよび情報処理システムおよび電源管理方法を適用して構成した情報処理システムの電源管理を行うシステム構成図。
【図２】本願発明における処理シーケンスを示す図。
【図３】本願発明における処理シーケンスを示す他の図。
【図４】本願発明における処理シーケンスを示す第３の図。
【図５】図４に示す処理シーケンスをホスト装置のスキャナとクライアントＰＣに適用した場合の例を示す図。
【図６】制御サーバを介して通信を行う場合のネットワーク構成を示す図。
【図７】図６に示すネットワーク構成の詳細なブロック図。
【図８】実施例２における処理シーケンスを示す図。
【図９】実施例２における処理シーケンスを示す他の図。
【符号の説明】
【０１３２】
１０        アプリケーション記憶部
１１        制御部
１１−Ａ    認証キー制御モジュール
１１−Ｂ    電源管理モジュール
１２        印刷要求リスト管理部
１３        印刷スプーラ
１４        Ｕ／Ｉ
１５        認証キー接続インターフェース
１６        通信インターフェース
２１        通信インターフェース
２２        認証キー接続インターフェース
２３−Ａ    認証キー制御モジュール
２３−Ｂ    電源管理モジュール
２４        Ｕ／Ｉ
２５        出力制御部
２６        プリントエンジン
２７        印刷スプーラ
６１        通信インターフェース
６２        制御部
６３        データ記憶部
６４        表示部
６５        操作部
１００      クライアントＰＣ
２００      プリンタ
６００      制御サーバ
【図１】
2007172493.tif 000003
【図２】
2007172493.tif 000004
【図３】
2007172493.tif 000005
【図４】
2007172493.tif 000006
【図５】
2007172493.tif 000007
【図６】
2007172493.tif 000008
【図７】
2007172493.tif 000009
【図８】
2007172493.tif 000010
【図９】
2007172493.tif 000011